【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】  移動するのに適し、かつ、極めて近接した状態で組織各部を保持するのに適した縫合糸固定システムであって、
１対の端部を有する長い縫合糸を備え、該縫合糸は組織各部に相対して配置するのに適していると同時に、縫合糸の両端は解放状態のままであり、さらに、
該縫合糸両端を捕獲するための第１位置と、曲がりくねった経路に沿って固定した関係で縫合糸両端を保持するための第２位置とを有している固定機構を備え、縫合糸には組織各部を極めて近接した状態に維持するように張力が付与されてる、縫合糸固定システム。
【請求項２】  前記固定機構が、前記縫合糸両端を互いに摩擦係合させて前記縫合糸両端を保持すると同時に、前記縫合糸両端と相対して前記固定機構の滑動を可能にするための第３位置を有している、請求項１に記載の縫合糸システム。
【請求項３】  前記固定機構が、
複数の歯を更に備え、各歯は開放状態と閉鎖状態を有しており、さらに、
前記固定機構が前記第３位置に在る時には、該歯のうちの少なくとも１つが閉鎖状態にある、請求項１に記載の縫合糸システム。
【請求項４】  前記固定機構を医者の片手のみと係合させることにより、前記固定機構をその第１位置と第２位置との間の運動に適するようにした、医者による作動に適した請求項１に記載の固定システム。
【請求項５】  縫合糸の１対の両自由端を固定するための固定機構であって、
概ね軸線に沿って延在し、かつ、該軸線の第１の側と該軸線の第２の側を有している支持体、
軸線の第１の側で支持体に接続された第１組の歯、および
軸線の第２の側で支持体に接続された第２組の歯を備えており、
歯の各々が、固定機構が縫合糸両端を受容するようにした第１状態と、固定機構が縫合糸両端を固定した関係に維持するようにした第２状態とを有しており、さらに、
第１組の歯のうちの少なくとも１つが、第１状態で、支持体上で折りたたまれている、固定機構。
【請求項６】  前記歯の各々が、前記固定機構が前記縫合糸両端を捕獲すると同時に、前記縫合糸両端と滑動する関係を維持している第３状態を有しており、さらに、
前記第１組の歯および前記第２組の歯のうちの少なくとも１つが、第３状態で、前記支持体上で折りたたまれている、請求項５に記載の固定機構。
【請求項７】  前記歯の全てが、前記第２状態で、前記支持体上で折りたたまれている、請求項６に記載の固定機構。
【請求項８】  前記第１組の歯および前記第２組の歯のうちの第１グループが、前記第２状態で、前記縫合糸両端上で折りたたまれており、さらに、
前記第１組の歯および前記第２組の歯のうちの第２グループが、前記第２状態で、前記縫合糸両端下で折りたたまれている、請求項７に記載の固定機構。
【請求項９】  前記第２組の歯のうちの少なくとも１つが、前記第２状態で、前記第１組の歯のうちの少なくとも１つの上で折りたたまれている、請求項８に記載の固定機構。
【請求項１０】  前記第２組の歯の各々が、前記第１組の歯のうちの関連する１つと対向する関係で配置されており、さらに、前記第２状態で、前記関連する第１組の歯の上で折りたたまれている、請求項９に記載の固定機構。
【請求項１１】  前記支持体および前記歯は金属から形成されている、請求項５に記載の固定機構。
【請求項１２】  前記金属は可鍛性がある、請求項１１に記載の固定機構。
【請求項１３】  前記支持体および前記歯はシート材から一体形成される、請求項１１に記載の固定機構。
【請求項１４】  １対の両自由端を有している張力が加わった縫合糸を固定するための方法であって、
縫合糸機構を供与する工程を含み、該縫合糸機構が縫合糸両端を受容するようにした第１位置と、縫合糸機構が縫合糸両端を固定した関係で保持するようにした第２位置とを有しており、
固定機構が第１位置に在る時には、縫合糸の両自由端を固定機構で受容する工程、および、
縫合糸両端が固定機構に配置された状態で第２位置へと固定機構を移動させる工程を含み、縫合糸両端が第２位置にある固定機構を通る曲がりくねった経路を追従して、縫合糸両端に沿って固定した位置に固定機構を維持するとともに、固定機構内部で固定した関係で縫合糸両端を維持する、方法。
【請求項１５】  受容する前記工程期間中に、医者が片手だけを使って前記縫合糸両端に張力を加える工程、および、
移動させる前記工程期間中に、医者が前記片手を使って前記縫合糸両端に加わった張力を維持すると同時に、医者の別な片手を使って前記固定機構を移動させる工程を更に含む、医者が実施するようにした請求項１４に記載の方法。
【請求項１６】  供与する前記工程が、前記固定機構をシート材から形成する工程を含んでいる、請求項１４に記載の方法。
【請求項１７】  供与する前記工程が、前記固定機構を可鍛性金属から形成する工程を含んでいる、請求項１４に記載の方法。
【請求項１８】  供与する前記工程が、
前記縫合糸両端が前記固定機構により前記固定機構と滑動自在な係合状態で捕獲されている第３位置を有している特性を前記固定機構に与える工程を更に含んでいる、請求項１６に記載の方法。
【請求項１９】  受容する前記工程の後で、前記第３位置に前記固定機構を設置する工程、および、
前記縫合糸両端に沿って最終位置へと前記固定機構を滑動させると同時に、触知可能な反応に応じて、前記縫合糸両端に加わった張力を維持する工程を更に含んでいる、請求項１８に記載の方法。
【請求項２０】  滑動する前記工程が、前記縫合糸両端に沿って前記最終位置で前記固定機構を調節する工程を含んでいる、請求項１９に記載の方法。
【請求項２１】  受容する前記工程の前に、前記縫合糸両端に結び目を作る工程を更に含んでいる、請求項１３に記載の方法。
【請求項２２】  前記支持体および前記歯が、温度の変化に反応して形状を変化させる特性を有してる材料から一体形成されている、請求項５に記載の固定機構。
【請求項２３】  前記材料がスプリングにより硬化されている、請求項２２に記載の固定機構。
【請求項２４】  前記材料の一例として記憶金属が挙げられる、請求項２２に記載の固定機構。
【請求項２５】  前記材料の一例としてニッケル−チタニウム合金が挙げられる、請求項22に記載の固定機構。
【請求項２６】  前記固定機構が、鋭利な端縁の無い断面を有しているワイヤから形成されたスプリングの形状を有している、請求項１に異彩の縫合糸固定システム。
【請求項２７】  前記スプリングの前記断面が円形である、請求項２６に記載の縫合糸固定システム。
【請求項２８】  前記スプリングが、第１方向の第１の渦巻きと、該第１方向とは反対の第２方向の第２の渦巻きとを有している、請求項２６に記載の縫合糸固定システム。
【請求項２９】  前記固定機構が、
軸線に沿って延びる支持体、
隆起部を規定する支持体の各部分、
支持体から間隔を設けた第１位置と支持体上に配した第２位置との間で、支持体と相対して可動であるフレーム、および、
フレームが第２位置に在る時に、支持体の隆起部上に配置したウインドウを規定するフレームの各部分を備えている、請求項１に記載の縫合糸固定システム。
【請求項３０】  １対の縫合糸両端を固定するための縫合糸固定機構であって、隆起部を有し、軸線に概ね沿って延在しており、第１側と第２側とを有している支持体、
軸線に沿って隆起部上で縫合糸両端を受容するようにした支持体、および、
軸線の一方側で支持体に接続されたフレームを備え、該フレームはウインドウを規定する各部を有し、縫合糸両端の受容を容易にする第１位置と第２位置との間で可動し、
第２位置にあるフレーム各部は、ウインドウが隆起部の上に配置された状態で、隆起部を包囲するように配置され、それにより、
フレーム各部が第２位置にある時には、フレーム各部の下で、隆起部の上の曲がりくねった経路を追従するように縫合糸両端を強制する、縫合糸固定機構。
【請求項３１】  前記フレームが第１フレームであり、前記フレーム各部が第１ウインドウを規定し、前記機構が、
前記軸線の第２側で前記支持体に接続され、かつ、第２ウインドウを規定する各部を有している第２フレームを更に備え、該第２フレームは、前記縫合糸両端の受容を用意にする第１位置と第２位置との間で可動であり、さらに、
第２位置の前記フレーム各部が第２位置で第１フレーム各部の上に位置決めされて、前記隆起部上に配置された第２ウインドウで前記隆起部を包囲している、請求項３０に記載の縫合糸固定機構。
【請求項３２】  前記第１のフレームおよび前記第２のフレームが、前記支持体と一体形成されており、かつ、前記受容第１位置と前記第２位置との間で前記支持体と相対して屈曲可能である、請求項３１に記載の縫合糸固定機構。
【請求項３３】  １対の縫合糸両端を固定するようにした縫合糸固定システムであって、
縦走方向軸線および複数の渦巻きを有しているスプリングの形態の固定機構、および、
軸線を有し、スプリングを同軸関係で受容するような寸法および形状にしたアプライアを備えており、
アプライアが縫合糸両端をスプリングと係合させるように、かつ、スプリングの渦巻きを通る曲がりくねった経路に縫合糸両端を強制的に入れるように、軸方向に回転可能であり、それにより、
スプリングが縫合糸両端を概ね固定した関係で縫合糸両端を維持する、請求項３１に記載の縫合糸固定機構。
【請求項３４】  前記スプリングが前記軸線周囲の第１方向の複数の第１の渦巻きと、前記軸線周囲の第２方向の複数の第２の渦巻きとを有しており、第２方向が第１方向と反対方向である、請求項３３に記載の縫合糸固定システム。
【請求項３５】  前記アプライアが、前記スプリングを受容するような寸法および形状にしたシャフトと、前記アプライアから前記スプリングを放逐するように、シャフトに沿って軸線方向に可動な放逐用鞘部材とを有している、請求項３３に記載の縫合糸固定システム。